(57)【要約】  【課題】磁気記録再生装置のキャプスタンが駆動する際、ステータが電磁気振動により振動し、異常音が発生する。  【解決手段】ステータ３ｃを押さえる押圧部材７を設けることにより、ステータ３ｃに設けられたコイル３ｆとロータ３ｇに設けられたマグネット３ｈとの間に生じる電磁力に起因するステータ３ｃの振動を防止し、異常音の発生を抑制する。  【選択図】図１
2008152887.tif 000002
【特許請求の範囲】
【請求項１】
キャプスタン軸を固定したローターと、前記キャプスタン軸に回転自在に係合されたステータとを有するキャプスタンと、
前記ステータを押圧する突起部を有する押圧部材と
を備える磁気記録再生装置。
【請求項２】
前記キャプスタンを備えるメインシャーシ上に、前記押圧部材を固定する固定部を設けたことを特徴とする請求項１記載の磁気記録再生装置。
【請求項３】
前記メインシャーシ中に前記サブシャーシを移動したとき、前記押圧部材が前記ステータに押圧係合することを特徴とする請求項１記載の磁気記録再生装置。
【請求項４】
前記突起部は、テープカセットからテープを引き出すテープ引き出し部材を駆動する駆動アームに備えられることを特徴とする請求項１〜３いずれかに記載の磁気記録再生装置。
【発明の詳細な説明】
【技術分野】
【０００１】
本発明は、回転ヘッドシリンダに磁気テープを所定の角度巻回して、信号の記録再生を行う磁気記録再生装置に関するものである。
【背景技術】
【０００２】
近年、ビデオテープレコーダー等に用いられる磁気記録再生装置は、小型化、低価格化が進んでいる。
【０００３】
以下、従来の磁気記録再生装置について図３、図４を用いて説明する。図３は、従来の磁気記録再生装置の記録再生装着状態での平面図である。図３において、４はメインシャーシである。５は周囲に磁気ヘッドを備えた回転ヘッドシリンダであり、メインシャーシ４に対し回転自在に軸支されている。６はＴボートであり、Ｔローラポスト６ａとＴ１ポスト６ｂとを備える。Ｔボート６が回転ヘッドシリンダ５の外周方向に移動する際に、Ｔローラポスト６ａ及びＴ１ポスト６ｂがキャプスタン軸３ａに不図示のカセットからテープ８を引き当て、テープ８は回転ヘッドシリンダ５に備える磁気ヘッドで記録再生される。１はＴアームである。２はＴリンクである。２ａはＴリンクピンであり、Ｔアーム１に設けられている。Ｔボート６はＴリンク２、Ｔリンクピン２ａ、を介して不図示の駆動源により駆動されるＴアーム１によって駆動され、テープ８を回転ヘッドシリンダ５に巻回する。３はキャプスタンである。３ａはキャプスタン３に植立されたキャプスタン軸である。キャプスタン軸３ａは図示されていないピンチローラとの間にテープ８を挟持し、キャプスタン軸３ａが回転することにより、テープ８を駆動する。１０は押圧部材配置部である。１１は不図示のカセットを回転するリールである。１２はサブシャーシであり、リール１１、Ｔアーム１等が設けられている。
【０００４】
図４は、従来の磁気記録再生装置のキャプスタン部分、Ｔアーム及びＴリンクの断面図である。図４において、３ｂはハウジングで、３ｃはステータである。ハウジング３ｂはステータ３ｃに一体に設けられている。３ｄ、３ｅはハウジング３ｂに設けられた軸受けである。３ｆはステータ３ｃに設けられた複数個のコイルである。３ｇはローターであり、３ｈはマグネットである。マグネット３ｈ、キャプスタン軸３ａはローター３ｇに固定されている。キャプスタン軸３ａはステータの軸受け３ｄ、３ｅによって回転自在に保持されている。マグネット３ｈとコイル３ｆとの間に生じる電磁力により、キャプスタン軸３ａが回転する。キャプスタン軸３ａが回転することにより、不図示のピンチローラーとキャプスタン軸３ａとの間に挟持されたテープ８が駆動する。
【０００５】
このような構成によって、テープが回転ヘッドシリンダに巻回され、キャプスタンによって駆動され、テープへの信号の記録再生が行われる。
【特許文献１】特開２００４−２９６０２１号公報
【発明の開示】
【発明が解決しようとする課題】
【０００６】
しかしながら従来の構成では、通常記録再生時、早送り時等、キャプスタン駆動時に発生する電磁気振動によりステータが振動し、ステータから異常音が発生するという問題点があった。
【０００７】
本発明は上記従来の問題点を解決するもので、異常音の発生が抑制された磁気記録再生装置を提供することを目的とする。
【課題を解決するための手段】
【０００８】
この目的を達成するために、本発明の磁気記録再生装置は、キャプスタン軸を固定したローターと、前記キャプスタン軸に回転自在に係合されたステータとを有するキャプスタンと、前記ステータを押圧する押圧部材とを備える構成を有している。
【発明の効果】
【０００９】
本発明は、異常音の発生を抑制した磁気記録再生装置を提供することができる。
【発明を実施するための最良の形態】
【００１０】
本発明の磁気記録再生装置は、キャプスタン軸を固定したローターと、前記キャプスタン軸に回転自在に係合されたステータとを有するキャプスタンと、前記ステータを押圧する押圧部材とを備える。この構成により、押圧部材がステータを押圧し、電磁気振動がステータに伝わることに起因する異常音の発生を抑制することができる。
【００１１】
また、本発明の磁気記録再生装置は、前記キャプスタンを備えるメインシャーシ上に、前記押圧部材を固定する固定部を設けたことを特徴とする。この構成により、サブシャーシの動きに拘わらず押圧部材が常にステータを押圧するため、電磁気振動がステータに伝わることに起因する異常音の発生を安定的に抑制することができる。
【００１２】
また、本発明の磁気記録再生装置は、前記メインシャーシ中に前記サブシャーシを移動したとき、前記押圧部材が前記ステータに押圧係合することを特徴とする。この構成により、サブシャーシがメインシャーシ中に移動しているときだけステータと押圧部材とが係合するため、押圧部材の経時変化を抑制することができ、また、ステータと押圧部材との係合部の損傷を防止することができる。
【００１３】
また、本発明の磁気記録再生装置は、前記突起部は、テープカセットからテープを引き出すテープ引き出し部材を駆動する駆動アームに備えられることを特徴とする。この構成により、駆動アームはテープを引き出す際に必ずステータの上に移動するため、コイルと磁石との磁気回路によりステータが回転する際に駆動アームがステータを押圧し、電磁気振動に起因するステータで発生する振動を抑え、異常音の発生を抑制することができる。
【００１４】
以下、本発明の最良の実施の形態の一について図１、図２を使って説明する。
【００１５】
図１は本発明の磁気記録再生装置における一実施形態のキャプスタン部及び押圧部材の断面図である。図１において、キャプスタン３、キャプスタン軸３ａ、ハウジング３ｂ、ステータ３ｃ、軸受け３ｄ、３ｅ、コイル３ｆ、ロータ３ｇ、マグネット３ｈの構成は図４に表した従来の磁気記録再生装置と同様である。７は押圧部材である。７ａは半球状の突起部である。突起部７ａは押圧部材７のステータ３ｃ側に露出して設けられており、ステータ３ｃを押圧している。本実施形態では押圧部材７を図３におけるリール１１とステータ３ｃとの間のメインシャーシ４の部位１０に設け、その突起部７ａをステータ３ｃに押圧した。なお、押圧部材７のステータ３ｃ上の高さは、Ｔアーム１の高さより低い位置である。
【００１６】
この構成により、キャプスタン３が駆動することで発生する電磁気振動がステータ３ｃに伝達し、ステータ３ｃが振動することで発生する異常音を抑制することができる。
【００１７】
なお、本実施の形態では押圧部材７は、サブシャーシ１２がメインシャーシ４中に移動する際に、移動しないが、機器が動作する際にステータ３ｃを押圧してさえいれば移動してもよい。
【００１８】
また、本実施の形態では、押圧部材配置部１０は、メインシャーシ４上でステータ３ｃとリール１１との間としたが、サブシャーシ１２をメインシャーシ４に対し移動させた際に他の部品（Ｔボート６、リール１１、Ｔアーム１、回転ヘッドシリンダ５等）に接触しない部分であればメインシャーシ上、サブシャーシ上のいずれにあってもよい。例えば、メインシャーシの側面部であるメインシャーシ側面部４ａ上、サブシャーシ上の押圧部材配置部１３上、サブシャーシの側面１２ａにあってもよい。
【００１９】
次に、カセットテープからテープを引き出し、回転ヘッドシリンダに巻きつける際に、押圧部材がステータ３ｃを押圧係合する一実施形態について、図２を用いて説明する。図２は本発明の磁気記録再生装置における他の実施形態のキャプスタン、Ｔアーム及びＴリンクの断面図である。本実施形態はＴアーム９の一部に突起部９ａを設けて、ステータ３ｃを押圧する構成である。Ｔアーム９の一部は、テープ８が回転ヘッドシリンダに巻回される際にステータ３ｃ上部に存在するため、Ｔアーム９の一部にステータ３ｃを押圧係合するように突起部９ａを設ければ、コイル３ｆと磁石３ｈとの磁気回路によりステータ３ｃが回転する際に、Ｔアーム９がステータ３ｃを押圧し、電磁気振動に起因するステータ３ｃで発生する振動を抑え、異常音の発生を抑制することができる。
【００２０】
なお、本実施の形態では、押圧部材に突起部を設け、当該突起部をステータに押圧係合しているが、突起部を設けずに押圧部材全面で押圧してもよい。ただし押圧部材が突起部を備えた方が、押圧部材全面がステータ面を押圧する場合よりもステータに加わる摩擦が小さくなるため、ステータの回転に抗する抵抗力が弱まると共にステータの当接面を傷つけにくいため好ましい。
【００２１】
また、本実施の形態では、突起部の形状は半球状であるが、突起部の形状は半球状に限らず、半円、三角錐、四角推等押圧部材の面から突起し、ステータを押圧できる形状であればよい。ただし、突起部の形状として半球状や半円状の何れか一方を採用すると、三角錐や四角錐の何れか一方を採用した場合よりもステータに加わる摩擦が小さくなるため、ステータの回転に抗する抵抗力が弱まると共にステータの当接面を傷つけにくいため好ましい。
【００２２】
また、本実施の形態では、突起部は一つのみであるが、突起部が複数あってもよい。
【産業上の利用可能性】
【００２３】
本発明は、テープ状媒体を情報媒体として使用する撮像装置に有用である。
【図面の簡単な説明】
【００２４】
【図１】本発明の磁気記録再生装置における一実施形態の要部拡大断面図
【図２】本発明の磁気記録再生装置における他の実施形態の要部拡大断面図
【図３】磁気記録再生装置の要部平面図
【図４】従来の磁気記録再生装置における要部断面図
【符号の説明】
【００２５】
１  Ｔアーム
１ａ  突起部
２  Ｔリンク
２ａ  Ｔリンクピン
３  キャプスタン
３ａ  キャプスタン軸
３ｂ  ハウジング
３ｃ  ステータ
３ｄ  軸受け
３ｅ  軸受け
３ｆ  コイル
３ｇ  ロータ
３ｈ  マグネット
４  メインシャーシ
５  回転ヘッドシリンダ
６  Ｔボート
６ａ  Ｔローラポスト
６ｂ  Ｔ１ポスト
７  押圧部材
７ａ  突起部
【図１】
2008152887.tif 000003
【図２】
2008152887.tif 000004
【図３】
2008152887.tif 000005
【図４】
2008152887.tif 000006